(57)【特許請求の範囲】
【請求項１】
施錠対象部に形成された保持部への装着互換を有する２種のシリンダケースから選択された一方に、２種のシリンダケースへの挿入可能性により分別される２種のプラグの内、選択されたシリンダケースへの挿入が可能なプラグを回転自在に挿入したシリンダ錠であって、
前記シリンダケースには、プラグ挿入孔の前端部を拡径したケース側凹溝が形成されるとともに、プラグの後端部外周壁にはプラグ側凹溝が形成され、
前記シリンダケースの後端部には、プラグ側凹溝に嵌合可能で、対応位置にプラグ側凹溝を有しない他方のプラグの挿入を禁止するケース側突起が設けられるとともに、前記プラグの前端部には、ケース側凹溝に嵌合可能で、対応位置にケース側凹溝を有しない他方のシリンダケースへの挿入を禁止するプラグ側突起が設けられ、
かつ、前記双方の凹溝は周方向に延びて嵌合したプラグの回転を許容するシリンダ錠。
【請求項２】
前記プラグは、コード設定用タンブラの配置領域の最後尾位置が他方のプラグに比して前方寄りに配置され、
前記プラグ側凹溝が、前記コード設定用タンブラ配置領域の最後尾の後方領域に形成される請求項１記載のシリンダ錠。
【請求項３】
前記プラグ側凹溝は、経路の一方の終端がプラグ後方に向けて開放されたＬ字形状をなす請求項１または２記載のシリンダ錠。
【請求項４】
シリンダケースのプラグ挿入孔内に挿入されるプラグ本体に適数のコード設定用タンブラを装着するとともに、後端部に前記シリンダケースの後端に係止してシリンダケースからの脱離を防止するストッパタンブラを配置したプラグであって、
前記プラグ本体の前記ストッパタンブラより前方の外周壁には、導入溝を介してプラグ本体の後端面に開放され、プラグ挿入孔への挿入時にシリンダケースのプラグ挿入孔内周壁から内方に突設されるケース側突起を受容可能なプラグ側凹溝が周方向に適宜長を有して形成されるプラグ。
【発明の詳細な説明】
【技術分野】
【０００１】
本発明は、シリンダ錠に関するものである。
【背景技術】
【０００２】
一般にシリンダ錠は、特許文献１に記載されるように、錠ケース（シリンダケース）内にロータ（プラグ）を回転操作可能に挿入して形成される。プラグを真正な解錠キーを使用して回転操作すると、プラグ後端（本明細書において、プラグの解錠キー入口側を「前方」とする。）に連結された部材が施錠対象装置側の操作部を介して間接的に、あるいは当該部材により直接施錠対象装置を施解錠する。
【特許文献１】実公平３-４５４９２号公報
【発明の開示】
【発明が解決しようとする課題】
【０００３】
しかし、この従来例において、同一シリンダケース内には外径が適合する多種のプラグが挿入することができるために、例えば解錠コード体系、あるいは施錠対象装置の操作部に対する位置関係等の異なるプラグの誤組付を防止することができないという欠点がある。
【０００４】
本発明は、以上の欠点を解消すべくなされたものであって、異部品の誤組付を確実に防止することのできるシリンダ錠の提供を目的とする。また、本発明の他の目的は、上記シリンダ錠に使用可能なプラグの提供にある。
【課題を解決するための手段】
【０００５】
本発明によれば上記目的は、
施錠対象部１に形成された保持部２への装着互換を有する２種のシリンダケース３、３’から選択された一方に、２種のシリンダケース３、３’への挿入可能性により分別される２種のプラグ４、４’の内、選択されたシリンダケース３への挿入が可能なプラグ４を回転自在に挿入したシリンダ錠であって、
前記シリンダケース３には、プラグ挿入孔５の前端部を拡径したケース側凹溝６が形成されるとともに、プラグ４の後端部外周壁にはプラグ側凹溝７が形成され、
前記シリンダケース３の後端部には、プラグ側凹溝７に嵌合可能で、対応位置にプラグ側凹溝７を有しない他方のプラグ４’の挿入を禁止するケース側突起８が設けられるとともに、前記プラグ４の前端部には、ケース側凹溝６に嵌合可能で、対応位置にケース側凹溝６を有しない他方のシリンダケース３’への挿入を禁止するプラグ側突起９が設けられ、
かつ、前記双方の凹溝は周方向に延びて嵌合したプラグ４の回転を許容するシリンダ錠を提供することにより達成される。
【０００６】
シリンダ錠Ａは、シリンダケース３に形成されたプラグ挿入孔５内にプラグ４を挿入して形成される。シリンダケース３は、２種のシリンダケース３、３’のうち選択された一方であり、プラグ４、４’には、各々のシリンダケース３、３’用として設定された２種のプラグ４、４’のうち、選択された一方のシリンダケース３に適応するものが使用される。
【０００７】
選択されたプラグ４（以下、選択、非選択の表記は、非選択側のみを表記し、特に断りのない限り選択された側のシリンダケース３等は、単にシリンダケース３、あるいはプラグ４と表記する。）の外周壁にはプラグ側突起９が突設され、選択側シリンダケース３にのみケース側凹溝６が形成される。ケース側凹溝６は、シリンダケース３の内周壁、正確にはプラグ４との摺接壁に形成されて上記プラグ側突起９を受容し、プラグ４の挿入を許容する。また、プラグ４のプラグ側突起９は、ケース側凹溝６を有しない非選択側シリンダケース３’への挿入を規制することにより該非選択側シリンダケース３’への誤組付を防止する。ケース側凹溝６は周方向に所定長を有し、挿入されたプラグ４の回転を許容する。
【０００８】
プラグ側突起９はプラグ４の前端部近傍に形成されるために、これを収容するケース側凹溝６もシリンダケース３の前端部近傍のみに形成することが可能になり、この結果、プラグ４に装着されるコード設定用タンブラ１１を係止してプラグ４の拘束状態（施錠状態）を作るためにシリンダケース３内周壁に形成されるロック溝１４との位置的干渉を防止することができる。
【０００９】
とりわけ、プラグ４内の最前端に配置されるコード設定用タンブラ１１とプラグ４の前端面との間には、コード設定用タンブラ１１が配置されない領域が設定されるために、当該領域を利用してケース側凹溝６を形成することができる。この結果、上記ロック溝１４との干渉を完全に防止することが可能になる。
【００１０】
さらに、非選択側プラグ４’のシリンダケース３への誤組付を防止するために、シリンダケース３の内周壁にはケース側突起８が突設される。ケース側突起８は、選択側プラグ４にのみ形成されるプラグ側凹溝７に嵌合し、プラグ４の挿入を許容する。
【００１１】
したがってこの発明において、プラグ４はプラグ側突起９の存在により非選択側シリンダケース３’に挿入することができず、シリンダケース３にはケース側突起８の存在により非選択側プラグ４’を挿入することができないために、誤組付けを確実に防止することができる。
【００１２】
プラグ側凹溝７は、コード設定用タンブラ１１を保持するためにプラグ４に形成されるタンブラ挿入溝１０ａ等との位置的干渉を避けるために、コード設定用タンブラ１１の配置領域以外に配置される。２種のプラグ４、４’にコード設定用タンブラ１１の配置上の差異がある場合には、タンブラ挿入溝１０ａが形成されるタンブラ配置領域の最後尾が前方寄りのものを選択側プラグ４とすると、プラグ側凹溝７を配置することができる領域が広くなるために、成型金型の中子等の密集を防止できる。
【００１３】
上記条件を充足するプラグ４は、非選択側プラグ４’として板状のコード設定用タンブラ１１をプラグ４’の長手方向に所定のピッチで配列したものを想定すると、上記非選択側プラグ４’からコード設定用タンブラ１１の装着可能枚数を減少させて、タンブラ配置領域を短寸化したものに加え、摺接状態でプラグ４長手方向に配列される２個のコード設定用タンブラ１１の複数組を適宜間隔でプラグ４長手方向に配列したもの、あるいは、プラグ４の回転中心に直交する同一のタンブラ摺動面内に２枚の板状のコード設定用タンブラ１１を配置したものが使用できる。
【発明の効果】
【００１４】
本発明によれば、異部品の誤組付を確実に防止することができる。
【発明を実施するための最良の形態】
【００１５】
図１以下に自動車のグローブボックスリッドロックとして構成された本発明の実施の形態を示す。グローブボックスリッドロックはプルアップ動作によりグローブボックスリッドを開放する操作ハンドル（施錠対象部１）と、シリンダ錠Ａとを有する。シリンダ錠Ａは、錠保持部１５に形成される保持部２内にアタッチメント１６を介して固定され、施解錠操作に伴って回転する操作突起１０ｂにより図外の作動部を作動させ、上記操作ハンドル１のプルアップ動作を規制する。
【００１６】
図２に示すように、上記シリンダ錠Ａは、保持部２への装着互換性と、操作突起１０ｂによる作動部への操作互換性を有する２種類が設定され、仕様に応じていずれかが選択使用される。
【００１７】
上記２種類のシリンダ錠Ａの各々は、シリンダケース３、３’内にプラグ４、４’を挿入して形成される。シリンダ錠Ａの種類に対応してシリンダケース３、３’とプラグ４、４’とは２種類設定され、各々１対１対応する。
【００１８】
図２（ａ）に示される一方のシリンダ錠Ａを構成するプラグ４は、図３に示すように、長手通しにキー挿入孔１０ｃを開設したプラグ本体１０に板状のコード設定用タンブラ１１とストッパタンブラ１２とを装着して形成される。プラグ本体１０の後端部に装着されるストッパタンブラ１２と、その前方に配置されるコード設定用タンブラ１１とは、プラグ本体１０の回転中心に直交するタンブラ移動面内で並進移動自在で、タンブラスプリング４ａによりプラグ本体１０から飛び出し方向に付勢される。
【００１９】
コード設定用タンブラ１１は、上記ストッパタンブラ１２を２分割した形状を有し、同一タンブラ移動面内に形成される２個のタンブラ挿入溝１０ａ、１０ａ内に各々が配置される。各コード設定用タンブラ１１は、ばね受け突起１１ａによりタンブラスプリング４ａの付勢力を受け、各々独立して移動することができる。
【００２０】
以上のように形成されるプラグ４に対応するシリンダケース３は、筒状に形成され、前端部に上記ストッパタンブラ１２に対応する傾斜面３ａが形成される。この傾斜面３ａにストッパタンブラ１２を正対させたプラグ４をシリンダケース３に押し込むと、ストッパタンブラ１２は傾斜面３ａにより下方向の分力を受けて一旦プラグ４内に没入してシリンダケース３のプラグ挿入孔５内を進行する。さらにプラグ４を押し込んでストッパタンブラ１２がシリンダケース３の後端縁を越えると、タンブラスプリング４ａの復元力により原位置に復帰し、以後、プラグ４のシリンダケース３からの脱離が規制される。
【００２１】
また、シリンダケース３には、開口状のロック溝１４がコード設定用タンブラ１１の移動経路上に形成される。プラグ４をシリンダケース３に組み込んだ状態で、コード設定用タンブラ１１はタンブラスプリング４ａに付勢されてロック溝１４に進入し、この状態がプラグ４はシリンダケース３に対して回転不可能な施錠状態に対応する。
【００２２】
施錠状態から図４（ｃ）に示すように、中央部に長手通しに連続する肉厚のコード形成部１７ａを有する解錠キー１７をプラグ４のキー挿入孔１０ｃに挿入すると、タンブラスプリング４ａにより付勢されたコード設定用タンブラ１１のコード検知部１１ｂ（図３参照）がコード形成部１７ａの板厚方向（紙面に対して直交する方向）の段部により押し下げられる。解錠キー１７が真正であると、コード設定用タンブラ１１はロック溝１４から脱離し、以後、プラグ４はシリンダケース３に対して回転できる（解錠状態）。
【００２３】
なお、以上において、コード設定用タンブラ１１は解錠キー１７のコード形成部１７ａにより施解錠状態が変化するものとして説明したが、コード形成部１７ａの状態にかかわらず、解錠キー１７の挿入を条件に解錠状態に移行するように形成することもできる。
【００２４】
一方、上述したシリンダ錠Ａと対をなす他方のシリンダ錠Ａに使用されるプラグ４’（以下、説明の便宜上、このシリンダ錠Ａに使用するプラグ４’を「非選択側プラグ４’」、シリンダケース３’を「非選択側シリンダケース３’」といい、上記一方のシリンダ錠Ａのプラグ４等を明示する必要のある場合には、これらを「選択側プラグ４」、「選択側シリンダケース３」という。）は、図２（ｂ）に示すように、プラグ本体１０の長手方向に所定ピッチで複数のコード設定用タンブラ１１を配置するとともに、プラグ本体１０の後端部にストッパタンブラ１２を装着して形成される。
【００２５】
コード設定用タンブラ１１は、ストッパタンブラ１２とほぼ同一形状を有した通常使用されるディスクタンブラであり、コード形成用開口１１ｃの高さと、図示しない解錠キー１７の側縁に形成された凹凸との関係により施解錠状態が決定される。また、このコード設定用タンブラ１１は、解錠キー１７の挿入のみを解錠状態への変更条件とするように構成することもできる。
【００２６】
以上の選択側プラグ４の非選択側シリンダケース３’への誤組付を防止するために、選択側プラグ４には、プラグ側突起９が突設されるとともに、選択側シリンダケース３にはケース側凹溝６が形成される。プラグ側突起９は、図５、６に示すように、プラグ本体１０の前端に形成される頭部フランジ１０ｄの後端面に形成されプラグ４外周から突出する。これに対し、ケース側凹溝６はシリンダケース３のプラグ挿入孔５の前端部を上記プラグ側突起９が嵌合可能なように拡径して形成される。このケース側凹溝６は、周方向に適宜長を有しており、図６（ｂ）に示すように、プラグ４の施解錠操作角（この実施の形態においては９０°）の回転を保障する。
【００２７】
上記ケース側凹溝６は選択側シリンダケース３にのみ形成されており、非選択側シリンダケース３’には形成されない。このため、非選択側シリンダケース３’に過って選択側プラグ４を挿入しようとすると、図６（ｃ）に示すように、プラグ側突起９が非選択側シリンダケース３’の前端に衝接し、誤挿入を排除する。
【００２８】
また、非選択側プラグ４’の選択側シリンダケース３への誤組付を防止するために、選択側シリンダケース３にはケース側突起８が設けられるとともに、選択側プラグ４にプラグ側凹溝７が形成される。図５、７に示すように、ケース側突起８は、プラグ挿入孔５の終端内壁に突設される。これに対し、プラグ側凹溝７は、図２に示すように、最後尾に位置するコード設定用タンブラ１１の位置、正確にはコード設定用タンブラ１１が挿入可能なタンブラ装着領域の後端位置が、非選択側プラグ４’に比して前方に位置しており、非装着領域が非選択側プラグ４’に比して長いことを利用してプラグ本体１０の後端部に形成される。
【００２９】
このプラグ側凹溝７は、図２（ａ）に示すように、プラグ本体１０の回転軸に平行で、プラグ本体１０の後端縁に開放する導入溝１３の終端から周方向に回転許容部７ａを延設して形成される。回転許容部７ａは周方向に所定長を有してストッパタンブラ１２より前方に位置し、図７（ｂ）に示すように、ケース側突起８の移動、すなわち、プラグ４の回転を保障する。
【００３０】
上記プラグ側凹溝７は選択側プラグ４にのみ形成されており、非選択側プラグ４’には形成されない。このため、選択側シリンダケース３に過って非選択側プラグ４’を挿入しようとすると、図７（ｃ）に示すように、ケース側突起８が非選択側プラグ４’の後端面に衝接し、誤挿入を排除する。
【００３１】
また、選択側プラグ４を選択側シリンダケース３に挿入する場合であっても、１８０°相対回転した姿勢で挿入しようとしても、ケース側突起８がガイド溝に進入できないために、当該姿勢での誤組付も防止される。
【図面の簡単な説明】
【００３２】
【図１】シリンダ錠の取付状態を示す図で、（ａ）は正面図、（ｂ）は図１（ａ）の１Ｂ-１Ｂ線断面図である。
【図２】シリンダ錠の分解図で、（ａ）は選択側のシリンダ錠を示す図、（ｂ）は非選択側のシリンダ錠を示す図である。
【図３】選択側のシリンダ錠の分解斜視図である。
【図４】図３の組立状態を示す図で、（ａ）は平面図、（ｂ）は（ａ）の４Ｂ方向矢視図、（ｃ）は（ｂ）の４Ｃ-４Ｃ線断面図である。
【図５】プラグとシリンダケースの関係を示す斜視説明図である。
【図６】プラグ側突起の動作を示す図で、（ａ）はプラグ挿入状態における図４（ｂ）の６Ａ-６Ａ線断面図、（ｂ）はプラグを回転させた状態における図６（ａ）に対応する図、（ｃ）はプラグを非選択側シリンダケースに装着した状態を示す側面図である。
【図７】ケース側突起の動作を示す図で、（ａ）はプラグ挿入状態における図４（ｂ）の７Ａ-７Ａ線断面図、（ｂ）はプラグを回転させた状態における図７（ａ）に対応する図、（ｃ）はプラグを非選択側シリンダケースに装着した状態を示す側面図である。
【符号の説明】
【００３３】
１        施錠対象部
２        保持部
３、３’  シリンダケース
４、４’  プラグ
５        プラグ挿入孔
６        ケース側凹溝
７        プラグ側凹溝
８        ケース側突起
９        プラグ側突起
１０      プラグ本体
１１      コード設定用タンブラ
１２      ストッパタンブラ
１３      導入溝
【図１】
0004499651.tif 000002
【図２】
0004499651.tif 000003
【図３】
0004499651.tif 000004
【図４】
0004499651.tif 000005
【図５】
0004499651.tif 000006
【図６】
0004499651.tif 000007
【図７】
0004499651.tif 000008